(57)【要約】【課題】骨盤を正しい傾きに導くことのできるインナーウェアを提供する。【解決手段】着用者に着用されるインナーウェアであって、ベース生地と、腸腰筋生地と、ハムストリング生地とを備えるインナーウェアが提供される。前記ベース生地は、前記着用者の下腹部及び太腿を少なくともカバーする。前記腸腰筋生地は、前記ベース生地に連結されており、単独で又は他の生地とともに前記ベース生地よりも高弾性の部位を形成し、前記着用者の腸腰筋に筋繊維方向の伸縮を補助する力が作用するように、前記腸腰筋又は前記太腿の付け根付近をカバーする。ハムストリング生地は、前記ベース生地に連結されており、単独で又は他の生地とともに前記ベース生地よりも高弾性の部位を形成し、前記着用者のハムストリングに筋繊維方向の伸縮を補助する力が作用するように、前記ハムストリング又は前記太腿の裏側をカバーする。【選択図】図２Ｃ
2019081974.tif 000002
【特許請求の範囲】
【請求項１】
着用者に着用されるインナーウェアであって、
前記着用者の下腹部及び太腿を少なくともカバーするベース生地と、
前記ベース生地に連結されており、単独で又は他の生地とともに前記ベース生地よりも高弾性の部位を形成し、前記着用者の腸腰筋に筋繊維方向の伸縮を補助する力が作用するように、前記腸腰筋又は前記太腿の付け根付近をカバーする腸腰筋生地と、
前記ベース生地に連結されており、単独で又は他の生地とともに前記ベース生地よりも高弾性の部位を形成し、前記着用者のハムストリングに筋繊維方向の伸縮を補助する力が作用するように、前記ハムストリング又は前記太腿の裏側をカバーするハムストリング生地と
を備える、インナーウェア。
【請求項２】
前記ベース生地に連結されており、単独で又は他の生地とともに前記ベース生地よりも高弾性の部位を形成し、前記着用者の臀部を持ち上げるように前記臀部の下部をカバーするヒップアップ生地
をさらに備える、請求項１に記載のインナーウェア。
【請求項３】
前記ハムストリング生地と前記ヒップアップ生地とは、別体である、
請求項２に記載のインナーウェア。
【請求項４】
前記ハムストリング生地の高さ方向の弾性率は、水平方向の弾性率より小さい、
請求項１から３のいずれかに記載のインナーウェア。
【請求項５】
前記腸腰筋生地は、長手方向が前記太腿の付け根に沿って延在する、
請求項１から４のいずれかに記載のインナーウェア。
【請求項６】
前記腸腰筋生地の、前記太腿の付け根に沿う第１方向の弾性率は、前記第１方向に直交する第２方向の弾性率よりも小さい、
請求項１から５のいずれかに記載のインナーウェア。
【請求項７】
前記腸腰筋生地の、前記太腿の付け根に沿う第１方向の弾性率は、前記第１方向に直交する第２方向の弾性率よりも大きい、
請求項１から５のいずれかに記載のインナーウェア。
【請求項８】
前記ベース生地に連結されており、単独で又は他の生地とともに前記ベース生地よりも高弾性の部位を形成し、前記着用者の下腹部をカバーする下腹部生地
をさらに備える、
請求項１から７のいずれかに記載のインナーウェア。
【請求項９】
前記ベース生地に連結されており、単独で又は他の生地とともに前記ベース生地よりも高弾性の部位を形成し、前記着用者の骨盤をベルト状にカバーする骨盤生地
をさらに備える、
請求項１から８のいずれかに記載のインナーウェア。
【請求項１０】
前記腸腰筋生地は、前記ベース生地よりも高弾性である、
請求項１から９のいずれかに記載のインナーウェア。
【請求項１１】
前記ハムストリング生地は、前記ベース生地よりも高弾性である、
請求項１から１０のいずれかに記載のインナーウェア。
【発明の詳細な説明】
【技術分野】
【０００１】
本発明は、インナーウェアに関し、特に、骨盤を正しい傾きに導くことのできるインナーウェアに関する。
【背景技術】
【０００２】
骨盤を固定して腰を保護する最も一般的な腰痛対策器具として、コルセットが知られている。コルセットは、緊急対策に用いることが可能であり、即効性が高く、着脱が容易であるという利点を有する。その一方で、コルセットは、正しい装着位置からのズレ上がりにより効果が低下する虞がある。また、コルセットは、長期使用によりむしろ筋力が低下してしまう可能性があり、着用者は益々コルセットの装着が必要になり、手放せなくなるという悪循環が生じ得る。また、特許文献１のような骨盤矯正用の下半身用下着も知られている。
【先行技術文献】
【特許文献】
【０００３】
【特許文献１】登録実用新案第3183358号公報
【発明の概要】
【発明が解決しようとする課題】
【０００４】
ところで、骨盤周りの筋力のバランスが悪いと、骨盤が前傾又は後傾する。図１Ａは、骨盤が正しい位置にある人の模式的な骨盤付近の側面図であり、図１Ｂは、反り腰の人の模式的な骨盤付近の側面図ある。これらの図において模式的に三角形で示されているのが、骨盤である。一般的には女性に多く見られがちであるが、腹筋、腸腰筋及び太腿の裏側のハムストリング等の骨盤周りの筋肉が弱く、一方で背筋が比較的強いと、図１Ｂのように骨盤が前傾する。また、特に図示しないが、骨盤周りの筋力のバランスが悪いと、骨盤が後傾することもある。骨盤の前傾及び後傾は、腰痛の原因ともなり得るため、その対策が重要であるが、コルセットのような骨盤周りのみの保護では、効果が乏しい。また、特許文献１の下半身用下着も、骨盤の前傾及び後傾の矯正には不十分である。
【０００５】
本発明は、骨盤を正しい傾きに導くことのできるインナーウェアを提供することにある。
【課題を解決するための手段】
【０００６】
第１観点に係るインナーウェアは、着用者に着用されるインナーウェアであって、ベース生地と、腸腰筋生地と、ハムストリング生地とを備える。前記ベース生地は、前記着用者の下腹部及び太腿を少なくともカバーする。前記腸腰筋生地は、前記ベース生地に連結されており、単独で又は他の生地とともに前記ベース生地よりも高弾性の部位を形成し、前記着用者の腸腰筋に筋繊維方向の伸縮を補助する力が作用するように、前記腸腰筋又は前記太腿の付け根付近をカバーする。ハムストリング生地は、前記ベース生地に連結されており、単独で又は他の生地とともに前記ベース生地よりも高弾性の部位を形成し、前記着用者のハムストリングに筋繊維方向の伸縮を補助する力が作用するように、前記ハムストリング又は前記太腿の裏側をカバーする。
【０００７】
第２観点に係るインナーウェアは、第１観点に係るインナーウェアであって、前記ベース生地に連結されており、単独で又は他の生地とともに前記ベース生地よりも高弾性の部位を形成し、前記着用者の臀部を持ち上げるように前記臀部の下部をカバーするヒップアップ生地をさらに備える。
【０００８】
第３観点に係るインナーウェアは、第２観点に係るインナーウェアであって、前記ハムストリング生地と前記ヒップアップ生地とは、別体である。
【０００９】
第４観点に係るインナーウェアは、第１観点から第３観点のいずれかに係るインナーウェアであって、前記ハムストリング生地の高さ方向の弾性率は、水平方向の弾性率より小さい。
【００１０】
第５観点に係るインナーウェアは、第１観点から第４観点のいずれかに係るインナーウェアであって、前記腸腰筋生地は、長手方向が前記太腿の付け根に沿って延在する。
【００１１】
第６観点に係るインナーウェアは、第１観点から第５観点のいずれかに係るインナーウェアであって、前記腸腰筋生地の、前記太腿の付け根に沿う第１方向の弾性率は、前記第１方向に直交する第２方向の弾性率よりも小さい。
【００１２】
第７観点に係るインナーウェアは、第１観点から第５観点のいずれかに係るインナーウェアであって、前記腸腰筋生地の、前記太腿の付け根に沿う第１方向の弾性率は、前記第１方向に直交する第２方向の弾性率よりも大きい。
【００１３】
第８観点に係るインナーウェアは、第１観点から第７観点のいずれかに係るインナーウェアであって、前記ベース生地に連結されており、単独で又は他の生地とともに前記ベース生地よりも高弾性の部位を形成し、前記着用者の下腹部をカバーする下腹部生地をさらに備える。
【００１４】
第９観点に係るインナーウェアは、第１観点から第８観点のいずれかに係るインナーウェアであって、前記ベース生地に連結されており、単独で又は他の生地とともに前記ベース生地よりも高弾性の部位を形成し、前記着用者の骨盤をベルト状にカバーする骨盤生地をさらに備える。
【００１５】
第１０観点に係るインナーウェアは、第１観点から第９観点のいずれかに係るインナーウェアであって、前記腸腰筋生地は、前記ベース生地よりも高弾性である。
【００１６】
第１１観点に係るインナーウェアは、第１観点から第１０観点のいずれかに係るインナーウェアであって、前記ハムストリング生地は、前記ベース生地よりも高弾性である。
【発明の効果】
【００１７】
以上の観点によれば、着用者の下腹部及び太腿を少なくともカバーするベース生地と、腸腰筋又は太腿の付け根付近をカバーする腸腰筋生地と、ハムストリング又は太腿の裏側をカバーするハムストリング生地とを備えるインナーウェアが提供される。腸腰筋生地及びハムストリング生地は、各々、単独で又は他の生地とともにベース生地よりも高弾性の部位を形成し、それぞれ着用者の腸腰筋及びハムストリングに筋繊維方向の伸縮を補助する力を作用させることができる。その結果、骨盤周りの筋肉のバランスを保ち、骨盤を正しい傾きに導くことができる。
【図面の簡単な説明】
【００１８】
【図１Ａ】骨盤が正しい位置にある人の模式的な骨盤付近の側面図。
【図１Ｂ】反り腰の人の模式的な骨盤付近の側面図。
【図２Ａ】本発明の一実施形態に係るインナーウェアの前面側の表面を示す外観図。
【図２Ｂ】図２Ａのインナーウェアの背面側の表面を示す外観図。
【図２Ｃ】図２Ａのインナーウェアの前面側の裏面を示す外観図。
【図２Ｄ】図２Ａのインナーウェアの背面側の裏面を示す外観図。
【図３Ａ】下腹部生地の展開図。
【図３Ｂ】もう一枚の下腹部生地の展開図。
【発明を実施するための形態】
【００１９】
以下、図面を参照しつつ、本発明の一実施形態に係るインナーウェアについて説明する。
【００２０】
＜１．インナーウェアの全体構成＞
図２Ａ〜図２Ｄに、本実施形態に係るインナーウェア１００の外観図を示す。図２Ａ及び図２Ｂは、着用者に着用されたときのインナーウェア１００の表面を示しており、前者が着用者の前面側から見た図であり、後者が背面側から見た図である。一方、図２Ｃ及び図２Ｄは、インナーウェア１００を表面が内側にくるように裏返したときの外観図である。よって、図２Ｃ及び図２Ｄは、インナーウェア１００の裏面を示しており、前者が着用者の前面側から見た図であり、後者が背面側から見た図である。なお、ここでは、特に断らない限り、前面及び背面、並びに上下及び左右は、インナーウェア１００を着用した状態の着用者を基準に定義される。また、高さ方向は上下方向を意味し、水平方向は左右方向を意味する。
【００２１】
図２Ａ〜図２Ｄに示すように、本実施形態に係るインナーウェア１００は、一般的にガードルと称されるタイプのインナーウェアであり、着用者の下半身、より具体的には、着用者の臀部、下腹部及び太腿を含む、腰から膝上までの部位をカバーする。インナーウェア１００は、腰から膝上までの部位全体をカバーするベース生地１を有するとともに、このベース生地１に連結される各種生地２０、３０、４０、５０、６０、７０及び８０をさらに有する。これらの生地２０、３０、４０、５０、６０、７０及び８０は、ベース生地１に付加的な各種機能を付与し、当て布として、ベース生地１に重なり合うように縫い付けられる。インナーウェア１００は、ベース生地１及び生地２０、３０、４０、５０、６０、７０及び８０の所定の箇所を縫製し、繋ぎ合わせることにより作製される。
【００２２】
生地２０、４０、５０、６０、７０及び８０は、身体の所定の部位をサポートする機能を有するサポート生地である。本実施形態では、サポート生地２０、４０、５０、６０、７０及び８０は、ベース生地１よりも高弾性の素材からなり、サポート生地２０、４０、５０、６０、７０及び８０にカバーされる身体の部位を締め付ける。本実施形態のインナーウェア１００において特に重要な機能は、骨盤及び骨盤周りの筋肉をサポートし、骨盤の位置を矯正する機能であり、着用者の腰痛を予防及び改善することができる。
【００２３】
＜２．各部の構成＞
以下、インナーウェア１００を構成する各種生地１、２０、３０、４０、５０、６０、７０及び８０について説明する。
【００２４】
＜２−１．ベース生地＞
ベース生地１は、３種類の生地１１、１２及び１３により構成される。生地１１は、主として右臀部、右下腹部及び右太腿をカバーする右身頃１１Ｒと、主として左臀部、左下腹部及び左太腿をカバーする左身頃１１Ｌとを含み、生地１１Ｒと１１Ｌとは、左右対称の形状を有する。
【００２５】
生地１２は、下腹部の左右中央付近をカバーする生地であり、略逆台形である。生地１２の台形の脚に対応する左右の縁１２Ｌ及び１２Ｒが、それぞれ左身頃１１Ｌ及び右身頃１１Ｒの前面側の縁の上部と縫い合わされる。生地１３は、股部をカバーする生地であり、略矩形状である。生地１３の１辺に対応する縁は、生地１２の底辺に対応する縁１２Ｄと縫い合わされる。また、生地１３の別の２辺に対応する縁は、生地１２の下方において、それぞれ左身頃１１Ｌ及び右身頃１１Ｒの前面側の縁の上下中央部に縫い合わされる。さらに、左身頃１１Ｌ及び右身頃１１Ｒの背面側の縁の上部どうしが互いに縫い合わされる。これにより、臀部及び下腹部をカバーする筒状の部位が形成される。
【００２６】
右身頃１１Ｒの前面側の縁の下部と、背面側の縁の下部とが縫い合わされる。これにより、着用者の右脚が通り抜け、右太腿を覆う筒状の部位が形成される。同様に、左身頃１１Ｌの前面側の縁の下部と、背面側の縁の下部とが縫い合わされる。これにより、着用者の左脚が通り抜け、左太腿を覆う筒状の部位が形成される。なお、生地１３の残りの１辺に対応する縁は、左身頃１１Ｌ及び右身頃１１Ｒにおける背面側の縁の上下中央部に縫い合わされる。
【００２７】
以上のとおり、右身頃１１Ｒ及び左身頃１１Ｌ、並びに生地１２及び１３の４枚の生地を全て連結すると、ガードルの形状のベース生地１が形成される。なお、本実施形態では、ベース生地１を構成するこれらの４枚の生地１１Ｒ、１１Ｌ、１２及び１３は、全て同じ素材からなり、上下方向及び左右方向の伸縮性に富む。その結果、ベース生地１は、着用者がインナーウェア１００を着用したときに、適度な圧迫力を以って、着用者の臀部、下腹部及び太腿にぴったりとフィットするように構成されている。
【００２８】
＜２−２．下腹部生地＞
生地２０は、下腹部の左右中央付近をカバーする生地であり、２層構造である。図３Ａ及び図３Ｂにそれぞれ、２層構造の生地２０を構成する２枚の生地２０Ａ及び２０Ｂを示す。以下、これらの生地２０Ａ及び２０Ｂを下腹部生地と呼ぶ。下腹部生地２０Ａ及び２０Ｂは、ベース生地１に含まれる下腹部の左右中央付近をカバーする生地１２と略同じ形状を有しており、略逆台形である。下腹部生地２０Ａ及び２０Ｂと、生地１２とは、互いに３層構造に重ね合わされ、３枚の生地２０Ａ、２０Ｂ及び１２の外周どうしが縫い合わされる。より具体的には、下腹部生地２０Ｂは、生地１２の内側（着用者側）に重ねられ、さらに下腹部生地２０Ｂの内側（着用者側）に下腹部生地２０Ａが重ねられる。すなわち、下腹部生地２０Ｂは、生地１２と下腹部生地２０Ａとの間に閉じ込められる中布である。下腹部生地２０Ａ及び２０Ｂは、インナーウェア１００の内側に縫い付けられるため、外観に響かない。
【００２９】
本実施形態では、２枚の下腹部生地２０Ａ及び２０Ｂは、上下方向及び左右方向のいずれにもベース生地１よりも高弾性の素材からなり、さらに互いに同じ素材からなる。ただし、これらの下腹部生地２０Ａ及び２０Ｂは、伸縮性の配向が異なる。より具体的に説明すると、図３Ａ及び図３Ｂには、それぞれ上下方向及び左右方向に延びる矢印が示されているが、これらの矢印は、弾性率が最も低い方向を示している。これらの図に示すとおり、本実施形態では、下腹部生地２０Ａ及び２０Ｂは、最も伸縮性に富む方向が互いに直交するように配向される。本実施形態では、下腹部生地２０Ａは、上下方向に最も伸縮し易く、下腹部生地２０Ｂは、左右方向に最も伸縮し易い。しかしながら、この伸縮方向の配向は、逆であってもよい。なお、図２Ｃ及び図２Ｄにも、図３Ａ及び図３Ｂと同様の矢印が示されるが、これらの矢印も弾性率が最も低い方向を示している。
【００３０】
以上の結果、下腹部生地２０Ａ及び２０Ｂは、着用者がインナーウェア１００を着用したときに、ベース生地１よりも強い圧迫力を以って、着用者の下腹部にぴったりとフィットするように構成されている。よって、下腹部生地２０Ａ及び２０Ｂは、インナーウェア１００を着用した着用者の腹筋に圧迫力を作用させ、腹筋及びその周囲を引き締めることができる。図１Ａ及び図１Ｂには、腹筋の位置が示されている。これらの図から分かる通り、下腹部生地２０Ａ及び２０Ｂによる腹筋の引き締めは、例えば、反り腰の人の前傾した骨盤の前面側を引っ張り上げる効果をもたらすことができる。
【００３１】
＜２−３．股部生地＞
生地３０は、股部をカバーする生地である。以下、生地３０を股部生地と呼ぶ。股部生地３０は、ベース生地１に含まれる股部をカバーする生地１３と略同じ形状を有しており、略矩形状である。股部生地３０と、生地１３とは、互いに２層構造に重ね合わされ、２枚の生地３０及び１３の外周どうしが縫い合わされる。より具体的には、股部生地３０は、生地１３の内側（着用者側）に重ねられる。よって、股部生地３０は、インナーウェア１００の内側に縫い付けられるため、外観に響かない。
【００３２】
＜２−４．ゴムテープ＞
生地４０は、細長いゴムテープ（以下、ゴムテープにも、符号４０を付す）であり、ベース生地１の最上部において、腰周りに沿って一周するように延在する。ゴムテープ４０と、ベース生地１の最上部とは、互いに２層構造に重ね合わされ、ゴムテープ４０の短手方向の両端（上下端）においてそれぞれ長手方向に沿って縫い合わされる。また、長手方向の両端においてもそれぞれ短手方向に沿って縫い合わされる。ゴムテープ４０は、ベース生地１の内側（着用者側）に重ねられる。よって、ゴムテープ４０は、インナーウェア１００の内側に縫い付けられるため、外観に響かない。
【００３３】
本実施形態では、ゴムテープ４０は、上下方向及び左右方向のいずれにもベース生地１よりも高弾性の素材からなる。本実施形態では、ゴムテープ４０は、長手方向（左右方向）に最も伸縮し易い。よって、着用者がインナーウェアを着脱するときに、インナーウェア１００の腰周りの部分が臀部の膨らみ等を容易に乗り越えることができ、着脱が容易となる。また、ゴムテープ４０は、着用者がインナーウェア１００を着用したときに、ベース生地１よりも強い圧迫力を以って、着用者の腰周りにぴったりとフィットするため、着用時のインナーウェア１００のずれを防止することができる。
【００３４】
＜２−５．骨盤生地＞
生地５０は、骨盤をベルト状にカバーするメッシュゴムからなる生地である。以下、生地５０を骨盤生地と呼ぶ。骨盤生地５０は、生地５０Ｌ及び５０Ｒを含み、生地５０Ｌと生地５０Ｒとは、左右対称の形状を有する。生地５０Ｌは、主として骨盤の左側をカバーする生地であり、生地５０Ｒは、主として骨盤の右側をカバーする生地であり、生地５０Ｌ及び５０Ｒは、２枚一組となり、骨盤周りを概ね一周カバーする。骨盤生地５０Ｌ及び５０Ｒは、それぞれベース生地１に含まれる左身頃１１Ｌ及び右身頃１１Ｒの骨盤周りをカバーする部位と、２層構造を構成するように重ね合わされ、骨盤生地５０Ｌ及び５０Ｒの短手方向の両端（上下端）においてそれぞれ長手方向に沿って縫い合わされる。また、長手方向の両端においてもそれぞれ短手方向に沿って縫い合わされる。骨盤生地５０Ｌ及び５０Ｒは、ベース生地１の外側に重ねられる。
【００３５】
本実施形態では、骨盤生地５０Ｌ及び５０Ｒは、上下方向及び左右方向のいずれにもベース生地１よりも高弾性の素材からなり、さらに互いに同じ素材からなる。本実施形態では、骨盤生地５０Ｌ及び５０Ｒは、長手方向（左右方向）に最も伸縮し易い。よって、着用者がインナーウェアを着脱するときに、インナーウェア１００の腰周りの部分が臀部の膨らみ等を容易に乗り越えることができ、着脱が容易となる。
【００３６】
また、以上の結果、骨盤生地５０Ｌ及び５０Ｒは、着用者がインナーウェア１００を着用したときに、ベース生地１よりも強い圧迫力を以って、着用者の骨盤周りにぴったりとフィットするように構成されている。よって、着用時のインナーウェア１００のずれを防止することができる。さらに、骨盤生地５０Ｒ及び５０Ｌは、インナーウェア１００の着用者の骨盤に締め付け力を作用させ、骨盤を締めるようにサポートすることができる。
【００３７】
＜２−６．腸腰筋生地＞
生地６０は、腸腰筋又は太腿の付け根付近をカバーする細長い生地である。以下、生地６０を腸腰筋生地と呼ぶ。生地６０は、生地６０Ｌ及び６０Ｒを含み、生地６０Ｌと生地６０Ｒとは、左右対称の形状を有する。生地６０Ｌは、主として腸腰筋又は太腿の付け根付近の左側をカバーする生地であり、生地６０Ｒは、主として腸腰筋又は太腿の付け根付近の右側をカバーする生地である。腸腰筋生地６０Ｌ及び６０Ｒは、それぞれベース生地１に含まれる左身頃１１Ｌ及び右身頃１１Ｒの腸腰筋又は太腿の付け根付近をカバーする部位と、２層構造を構成するように重ね合わされ、腸腰筋生地６０Ｌ及び６０Ｒの短手方向の両端においてそれぞれ長手方向に沿って縫い合わされる。また、長手方向の両端においてもそれぞれ短手方向に沿って縫い合わされる。以上より、腸腰筋生地６０Ｌ及び６０Ｒは、それぞれその長手方向が左右の太腿の付け根に沿って延在するように縫い合わされる。より正確には、本実施形態では、腸腰筋生地６０は、太腿の付け根のラインに略平行に、当該ラインから数センチ離れた位置を延びる。腸腰筋生地６０Ｌ及び６０Ｒは、ベース生地１の内側（着用者側）に重ねられる。よって、腸腰筋生地６０Ｌ及び６０Ｒは、インナーウェア１００の内側に縫い付けられるため、外観に響かない。
【００３８】
本実施形態では、腸腰筋生地６０Ｌ及び６０Ｒは、上下方向及び左右方向のいずれにもベース生地１よりも高弾性の素材からなり、さらに互いに同じ素材からなる。よって、着用者がインナーウェア１００を着用したときに、ベース生地１よりも強い圧迫力を以って、着用者の太腿の付け根の近傍において付け根に略平行に延びる部位にぴったりとフィットするように構成されている。その結果、腸腰筋生地６０Ｌ及び６０Ｒは、インナーウェア１００の着用者の太腿の付け根付近において、身体内部に存在する腸腰筋に筋繊維方向の伸縮を補助する力を作用させ、腸腰筋及びその周囲を引き締めることができる。図１Ａ及び図１Ｂには、腸腰筋の位置が示されている。これらの図から分かる通り、腸腰筋生地６０Ｌ及び６０Ｒによる腸腰筋の引き締めは、例えば、反り腰の人の前傾した骨盤の前面側を引っ張り上げる効果をもたらすことができる。
【００３９】
また、本実施形態では、図２Ｃのとおり、腸腰筋生地６０Ｌ及び６０Ｒは、長手方向に最も伸縮し易く、太腿の付け根のラインに沿う長手方向の弾性率は、太腿の付け根のラインに直交する短手方向の弾性率よりも小さく、短手方向に伸縮し難い。しかしながら、腸腰筋生地６０Ｌ及び６０Ｒを、短手方向に最も伸縮し易く、短手方向の弾性率が、長手方向の弾性率よりも小さく、長手方向に伸縮し難い構成とすることも可能である。いずれの場合においても、腸腰筋生地６０Ｌ及び６０Ｒは、太腿の付け根のラインに沿って、つまりは大まかに腸腰筋が延びる方向に沿って、腸腰筋に強力な筋繊維方向の伸縮を補助する力を作用させることができる。
【００４０】
＜２−７．ヒップアップ生地＞
生地７０は、臀部を持ち上げるように臀部の下部をカバーするやや細長い生地である。以下、生地７０をヒップアップ生地と呼ぶ。生地７０は、生地７０Ｌ及び７０Ｒを含み、生地７０Ｌと生地７０Ｒとは、左右対称の形状を有する。生地７０Ｌは、主として臀部の左側の下部をカバーする生地であり、生地７０Ｒは、主として臀部の右側の下部をカバーする生地である。ヒップアップ生地７０Ｌ及び７０Ｒは、それぞれベース生地１に含まれる左身頃１１Ｌ及び右身頃１１Ｒの臀部の下部をカバーする部位と、２層構造を構成するように重ね合わされ、ヒップアップ生地７０Ｌ及び７０Ｒの短手方向の両端においてそれぞれ長手方向に沿って縫い合わされる。また、長手方向の両端においてもそれぞれ短手方向に沿って縫い合わされる。以上より、ヒップアップ生地７０Ｌ及び７０Ｒは、それぞれその長手方向が臀部の下部に沿って延在するように縫い合わされる。ヒップアップ生地７０Ｌ及び７０Ｒは、ベース生地１の内側（着用者側）に重ねられる。よって、ヒップアップ生地７０Ｌ及び７０Ｒは、インナーウェア１００の内側に縫い付けられるため、外観に響かない。
【００４１】
本実施形態では、ヒップアップ生地７０Ｌ及び７０Ｒは、上下方向及び左右方向のいずれにもベース生地１よりも高弾性の素材からなり、さらに互いに同じ素材からなる。よって、着用者がインナーウェア１００を着用したときに、ベース生地１よりも強い圧迫力を以って、着用者の臀部の下部にぴったりとフィットするように構成されている。その結果、ヒップアップ生地７０Ｌ及び７０Ｒは、インナーウェア１００を着用した着用者の臀部の下部にこれを持ち上げるような力を作用させ、臀部を持ち上げた状態を固定するようにサポートする。
【００４２】
また、本実施形態では、ヒップアップ生地７０Ｌ及び７０Ｒは、短手方向（概ね上下方向）に最も伸縮し易い。すなわち、長手方向（概ね左右方向）の弾性率は、短手方向の弾性率よりも大きく、伸縮し難い。その結果、ヒップアップ生地７０Ｌ及び７０Ｒは、左右方向に沿って、臀部の下部に強力な圧迫力を作用させ、これを持ち上げることができる。
【００４３】
＜２−８．ハムストリング生地＞
生地８０は、ハムストリング又は太腿の裏側をカバーするやや細長い生地である。以下、生地８０をハムストリング生地と呼ぶ。生地８０は、生地８０Ｌ及び８０Ｒを含み、生地８０Ｌと生地８０Ｒとは、左右対称の形状を有する。生地８０Ｌは、主として左脚のハムストリング又は太腿の裏側をカバーする生地であり、生地８０Ｒは、主として右脚のハムストリング又は太腿の裏側をカバーする生地である。ハムストリング生地８０Ｌ及び８０Ｒは、それぞれベース生地１に含まれる左身頃１１Ｌ及び右身頃１１Ｒのハムストリング又は太腿の裏側をカバーする部位と、２層構造を構成するように重ね合わされ、ハムストリング生地８０Ｌ及び８０Ｒの短手方向の両端においてそれぞれ長手方向に沿って縫い合わされる。ハムストリング生地８０Ｌ及び８０Ｒは、ベース生地１の内側（着用者側）に重ねられる。よって、ハムストリング生地８０Ｌ及び８０Ｒは、インナーウェア１００の内側に縫い付けられるため、外観に響かない。
【００４４】
本実施形態では、ハムストリング生地８０Ｌ及び８０Ｒは、上下方向及び左右方向のいずれにもベース生地１よりも高弾性の素材からなり、さらに互いに同じ素材からなる。よって、ハムストリング生地８０Ｌ及び８０Ｒは、着用者がインナーウェア１００を着用したときに、ベース生地１よりも強い圧迫力を以って、着用者の太腿の裏側にぴったりとフィットするように構成されている。その結果、ハムストリング生地８０Ｌ及び８０Ｒは、インナーウェア１００を着用した着用者の太腿の裏側において、身体内部に存在するハムストリングに筋繊維方向の伸縮を補助する力を作用させ、ハムストリング及びその周囲を引き締めることができる。図１Ａ及び図１Ｂには、ハムストリングの位置が示されている。これらの図から分かる通り、ハムストリング生地８０Ｌ及び８０Ｒによるハムストリングの引き締めは、例えば、反り腰の人の前傾した骨盤の背面側を引っ張り下げる効果をもたらすことができる。
【００４５】
また、図２Ｄに示す通り、本実施形態では、ハムストリング生地８０Ｌ及び８０Ｒの上方に、それぞれヒップアップ生地７０Ｌ及び７０Ｒが存在しており、上記のとおり、ヒップアップ生地７０Ｌ及び７０Ｒにより臀部が適切な位置に固定される。その結果、ハムストリング生地８０Ｌ及び８０Ｒが、太腿の裏側に確実に位置合わせされる。特に本実施形態では、ハムストリング生地８０Ｌ及び８０Ｒと、ヒップアップ生地７０Ｌ及び７０Ｒとが別体であり、ハムストリング生地８０Ｌ及び８０Ｒの上部がヒップアップ生地７０Ｌ及び７０Ｒの下部に連結されているため、以上の位置合わせの効果が顕著となる。
【００４６】
さらに、本実施形態では、ハムストリング生地８０Ｌ及び８０Ｒの長手方向（概ね上下方向）の弾性率は、短手方向（概ね左右方向）の弾性率よりも小さく、長手方向に最も伸縮し易い。その結果、ハムストリング生地８０Ｌ及び８０Ｒは、ハムストリングが延びる上下方向に沿ってハムストリングの伸縮を阻害し難く、ハムストリングの筋力を適度に発揮させることができる。
【００４７】
＜３．特徴＞
上記実施形態によれば、ガードルの形状を有するベース生地１を備えるインナーウェア１００が提供される。ベース生地１には、骨盤周りをベルト状にカバーする高弾性の骨盤生地５０が縫い付けられている。よって、骨盤生地５０の締め付け力により、インナーウェア１００の着用者の骨盤を締めつけ、固定するようにサポートすることができる。また、ベース生地１には、腸腰筋又は太腿の付け根付近をカバーする腸腰筋生地６０と、ハムストリング又は太腿の裏側をカバーするハムストリング生地８０とがさらに縫い付けられており、これらの生地６０及び８０も、ベース生地１よりも高弾性である。従って、インナーウェア１００の腸腰筋及びハムストリングに筋繊維方向の伸縮を補助する力を作用させることができる。その結果、骨盤周りの筋肉のバランスを保ち、骨盤を正しい傾きに導くことができる。また、ベース生地１にさらに縫い付けられている下腹部生地２０Ａ及び２０Ｂによっても、腹筋に圧迫力を作用させ、腹筋及びその周囲を引き締めることで骨盤を正しい傾きに導くことができる。
【００４８】
＜４．変形例＞
以上、本発明の一実施形態について説明したが、本発明は上記実施形態に限定されるものではなく、その趣旨を逸脱しない限りにおいて、種々の変更が可能である。例えば、以下の変更が可能である。また、以下の変形例の要旨は、適宜組み合わせることができる。
【００４９】
＜４−１＞
上記実施形態では、インナーウェア１００のベース生地１は、ガードルの形状とされたが、スパッツや全身ボディスーツのような形状とすることもできる。
【００５０】
＜４−２＞
上記実施形態では、インナーウェア１００のベース生地１と、各種生地２０、３０、４０、５０、６０、７０及び８０とは重ね合わされたが、生地２０、３０、４０、５０、６０、７０及び８０の少なくとも一部が存在する場所においてベース生地１が存在せず、つぎはぎの態様でベース生地１に連結されていてもよい。
【００５１】
＜４−３＞
上記実施形態では、各種サポート生地２０、４０、５０、６０、７０及び８０が、ベース生地１よりも高弾性とされたが、サポート生地２０、４０、５０、６０、７０及び８０の少なくとも１つが、ベース生地１よりも高弾性でなくてもよい。この場合であっても、サポート生地２０、４０、５０、６０、７０及び８０が、単独で、又は他の生地（典型的には、ベース生地１）と重ね合わせられることで当該生地とともに、ベース生地１よりも高弾性の部位を形成すれば、上記したような身体の所定の部位をサポートする機能を発揮することができる。
【実施例】
【００５２】
腸腰筋生地６０Ｌ及び６０Ｒを長手方向に最も伸縮し難く、短手方向に最も伸縮し易い構成とした点以外は、上記実施形態に係るインナーウェア１００と同様のインナーウェアを用意し、実施例とした。そして、骨盤角度が１２．２°被験者に、実施例に係るインナーウェアを装着させたところ、骨盤角度が１０°に改善した。なお、骨盤角度は、８°〜１０°が適切であり、ここでは、「整形外科・スポーツ傷害診察ハンドブック」（チャド・スターキーら著、ナップ出版社、２０１２年）の８９頁に記載の「角度計検査  骨盤位の評価」と同様の方法で測定した。よって、実施例に係るインナーウェアの骨盤矯正効果が確認された。
【符号の説明】
【００５３】
１００  インナーウェア
１  ベース生地
２０Ａ、２０Ｂ  下腹部生地
５０  骨盤生地
６０  腸腰筋生地
７０  ヒップアップ生地
８０  ハムストリング生地
【図１Ａ】
2019081974.tif 000003
【図１Ｂ】
2019081974.tif 000004
【図２Ａ】
2019081974.tif 000005
【図２Ｂ】
2019081974.tif 000006
【図２Ｃ】
2019081974.tif 000007
【図２Ｄ】
2019081974.tif 000008
【図３Ａ】
2019081974.tif 000009
【図３Ｂ】
2019081974.tif 000010
【手続補正書】
【提出日】平成30年5月11日(2018.5.11)
【手続補正１】
【補正対象書類名】特許請求の範囲
【補正対象項目名】全文
【補正方法】変更
【補正の内容】
【特許請求の範囲】
【請求項１】
着用者に着用されるインナーウェアであって、
前記着用者の下腹部及び太腿を少なくともカバーするベース生地と、
前記ベース生地に連結されており、単独で又は他の生地とともに前記ベース生地よりも高弾性の部位を形成し、前記着用者の腸腰筋に筋繊維方向の伸縮を補助する力が作用するように、前記腸腰筋又は前記太腿の付け根付近をカバーする腸腰筋生地と、
前記ベース生地に連結されており、単独で又は他の生地とともに前記ベース生地よりも高弾性の部位を形成し、前記着用者のハムストリングに筋繊維方向の伸縮を補助する力が作用するように、前記ハムストリング又は前記太腿の裏側をカバーするハムストリング生地と
を備え、
前記ハムストリング生地の長手方向は、前記ハムストリングの長手方向に沿って概ね上下方向に延びている、インナーウェア。
【請求項２】
前記ベース生地に連結されており、単独で又は他の生地とともに前記ベース生地よりも高弾性の部位を形成し、前記着用者の臀部を持ち上げるように前記臀部の下部をカバーするヒップアップ生地
をさらに備える、請求項１に記載のインナーウェア。
【請求項３】
前記ハムストリング生地と前記ヒップアップ生地とは、別体である、
請求項２に記載のインナーウェア。
【請求項４】
前記ハムストリング生地の高さ方向の弾性率は、水平方向の弾性率より小さい、
請求項１から３のいずれかに記載のインナーウェア。
【請求項５】
前記腸腰筋生地は、長手方向が前記太腿の付け根に沿って延在する、
請求項１から４のいずれかに記載のインナーウェア。
【請求項６】
前記腸腰筋生地の、前記太腿の付け根に沿う第１方向の弾性率は、前記第１方向に直交する第２方向の弾性率よりも小さい、
請求項１から５のいずれかに記載のインナーウェア。
【請求項７】
前記腸腰筋生地の、前記太腿の付け根に沿う第１方向の弾性率は、前記第１方向に直交する第２方向の弾性率よりも大きい、
請求項１から５のいずれかに記載のインナーウェア。
【請求項８】
前記ベース生地に連結されており、単独で又は他の生地とともに前記ベース生地よりも高弾性の部位を形成し、前記着用者の下腹部をカバーする下腹部生地
をさらに備える、
請求項１から７のいずれかに記載のインナーウェア。
【請求項９】
前記ベース生地に連結されており、単独で又は他の生地とともに前記ベース生地よりも高弾性の部位を形成し、前記着用者の骨盤をベルト状にカバーする骨盤生地
をさらに備える、
請求項１から８のいずれかに記載のインナーウェア。
【請求項１０】
前記腸腰筋生地は、前記ベース生地よりも高弾性である、
請求項１から９のいずれかに記載のインナーウェア。
【請求項１１】
前記ハムストリング生地は、前記ベース生地よりも高弾性である、
請求項１から１０のいずれかに記載のインナーウェア。